(57)【要約】エミュレートされる無線通信装置をローカルリンクによって同期させるための技術が開示される。１つの態様において、エミュレートする装置（106）は、エミュレートされる装置（106）に宛てられた情報の受信信号を監視する。情報は、エミュレートされる装置へローカルリンクによって送られる。別の態様では、エミュレートされる装置は、記憶されている情報（270）を、ローカルリンクによって、受信情報で更新する。さらに別の態様では、既にエミュレートされた装置が、同期情報を使用して、広域ネットワークに直接にアクセスする。種々の他の態様も提示されている。これらの態様がもつ特長は、エミュレートされる装置が広域ネットワークとの同期を維持し、エミュレーション後に、更新情報およびパラメータを用いて、アクセスを試みることを含む。
2005522966.tif 000002
【特許請求の範囲】
【請求項１】
広域ネットワーク内に含まれる基地局と動作可能であり、かつローカルリンクによって第２の無線通信装置と動作可能な無線通信装置であって、
広域ネットワークから第２の無線通信装置へ宛てられたメッセージを復号するためのメッセージ復号器と、
メッセージで受信した情報を、記憶するために第２の無線通信装置へ、ローカルリンクによって伝送するためのリンクインターフェイスとを含む無線通信装置。
【請求項２】
リンクインターフェイスが、無線ローカルリンクで動作する請求項１記載の無線通信装置。
【請求項３】
リンクインターフェイスが、有線ローカルリンクで動作する請求項１記載の無線通信装置。
【請求項４】
ローカルリンクによって第２の無線通信装置と動作可能な無線通信装置であって、
広域ネットワークによって無線通信装置へ宛てられ、かつ第２の無線通信装置によって受信された情報を、ローカルリンクによって第２の無線通信装置から受信するためのリンクインターフェイスと、
受信した情報を記憶するためのメモリとを含む無線通信装置。
【請求項５】
リンクインターフェイスが、無線ローカルリンクで動作する請求項４記載の無線通信装置。
【請求項６】
リンクインターフェイスが、有線ローカルリンクで動作する請求項４記載の無線通信装置。
【請求項７】
メモリが、識別情報を記憶するための識別モジュールを含む請求項４記載の無線通信装置。
【請求項８】
識別モジュールが取外し可能である請求項７記載の無線通信装置。
【請求項９】
基地局と、
第１の無線通信装置と、
第１の無線通信装置からローカルリンクによって情報を受信するための第２の無線通信装置とを含む無線通信システムであって、第１の無線通信装置が第２の無線通信装置をエミュレートし、基地局によって第２の無線通信装置へ宛てられた情報を、第１の無線通信装置が受信する無線通信システム。
【請求項１０】
無線通信システムを含む広域ネットワークであって、
第１の無線通信装置と、
第１の無線通信装置からローカルリンクによって情報を受信するための第２の無線通信装置とを含み、第１の無線通信装置が第２の無線通信装置をエミュレートし、広域ネットワークによって第２の無線通信装置へ宛てられた情報を、第1の無線通信が受信する広域ネットワーク。
【請求項１１】
無線通信装置を同期させる方法であって、
無線通信装置をエミュレートすることと、
無線通信装置へ宛てられた１つ以上のメッセージを監視することと、
１つ以上のメッセージをローカルリンクによって無線通信装置へ伝送することとを含む方法。
【請求項１２】
同期の要求に応じて、ローカルリンクによって伝送する１つ以上のメッセージのサブセットを選択することをさらに含む請求項１１記載の方法。
【請求項１３】
第２の無線通信装置をエミュレートするための手段と、
第２の無線通信装置に宛てられた１つ以上のメッセージを監視するための手段と、
１つ以上のメッセージをローカルリンクによって第２の無線通信装置へ伝送するための手段とを含む無線通信装置。
【請求項１４】
同期の要求に応じて、ローカルリンクによって伝送する１つ以上のメッセージのサブセットを選択するための手段をさらに含む請求項１３記載の無線通信装置。
【請求項１５】
無線通信装置をエミュレートするステップと、
無線通信装置へ宛てられた１つ以上のメッセージを監視するステップと、
１つ以上のメッセージをローカルリンクによって第２の無線通信装置へ伝送するステップとを行うように動作可能なプロセッサ読み出し可能媒体。
【請求項１６】
無線通信装置を同期させるための方法であって、
広域ネットワークから宛てられ、かつ無線通信装置において受信された１つ以上のメッセージ内の情報を、ローカルリンクによって無線通信装置から受信することと、
記憶されている情報を、受信した情報で更新することとを含む方法。
【請求項１７】
更新された情報を使用して、広域ネットワークにアクセスすることをさらに含む請求項１６記載の方法。
【請求項１８】
広域ネットワークから宛てられ、かつ第２の無線通信装置において受信された１つ以上のメッセージ内の情報を、第２の無線通信装置からローカルリンクによって受信するための手段と、
記憶されている情報を、受信した情報で更新するための手段とを含む無線通信装置。
【請求項１９】
広域ネットワークから宛てられ、かつ無線通信装置において受信された１つ以上のメッセージ内の情報を、無線通信装置からローカルリンクによって受信するステップと、
記憶されている情報を、受信した情報で更新するステップとを行うように動作可能なプロセッサ読み出し可能媒体。
【請求項２０】
無線通信装置を同期させる方法であって、
第１の無線通信装置を第２の無線通信装置を用いてエミュレートすることと、
第１の無線通信装置に宛てられ、かつ第２の無線通信装置において受信される１つ以上のメッセージを監視することと、
１つ以上のメッセージをローカルリンクによって無線通信装置へ伝送することとを含む方法。
【請求項２１】
第１の無線通信装置に記憶されている情報を、１つ以上のメッセージにおいて受信された情報で更新することをさらに含む請求項２０記載の方法。
【請求項２２】
更新された情報を使用して、広域ネットワークにアクセスすることをさらに含む請求項２１記載の方法。
【請求項２３】
同期の要求に応じて、ローカルリンクによって伝送する１つ以上のメッセージのサブセットを選択することをさらに含む請求項２０記載の方法。
【請求項２４】
第１の無線通信装置を第２の無線通信装置を用いてエミュレートするための手段と、
第１の無線通信装置へ宛てられ、かつ第２の無線通信装置において受信される１つ以上のメッセージを監視するための手段と、
１つ以上のメッセージをローカルリンクによって無線通信装置へ伝送するための手段とを含む無線通信システム。
【発明の詳細な説明】
【技術分野】
【０００１】
本発明は、概ね、通信に関し、とくに、エミュレートされる無線通信装置をローカルリンクによって同期させるための新奇で向上した方法および装置に関する。
【背景技術】
【０００２】
無線通信システムは、音声およびデータのような種々のタイプの通信を供給するように広く展開されている。これらのシステムは、符号分割多元接続（code division multiple assess, CDMA）、時分割多元接続（time division multiple access, TDMA）、またはいくつかの他の変調方式に基づく。ＣＤＭＡシステムは、他のタイプのシステムよりも、システム容量を増加したことを含めて、ある特定の長所を備えている。
【０００３】
ＣＤＭＡシステムは、（１）“TIA/EIA-95 Mobile Station-Base Station Compatibility Standard for Dual-Mode Wideband Spread Spectrum Cellular System”(IS-95 標準規格)、（２）“第三世代パートナーシッププロジェクト（3rd Generation Partnership Project, 3GPP）”という名称の協会によって提案され、かつ文献番号第3G TS 25.211号、第3G TS 25.212号、第3G TS 25.213号、第3G TS 25.214号を含む１組の文献において具現されている標準規格（W-CDMA標準規格）、（３）“第三世代パートナーシッププロジェクト ２（3rd Generation Partnership Project 2, 3GPP2）”という名称の協会によって提案され、かつ“C.S0002-A Physical Layer Standard for cdma2000 Spread Spectrum Systems”、“C.S0005-A Upper Layer (Layer 3) Signaling Standard for cdma2000 Spread Spectrum Systems”、および“C.S0024 cdma2000 High Rate Packet Data Air Interface Specification”を含む１組の文献において具現されている標準規格(CDMA 2000標準規格)、（４）“TIA/EIA-IS-856 CDMA2000 High Rate Packet Data Air Interface Specification”（IS-856標準規格）、および（５）いくつかの他の標準規格のような１つ以上のＣＤＭＡの標準規格を支援するように設計されている。ＣＤＭＡ以外のシステムは、ＡＭＰＳ、ＧＳＭ、および他のＴＤＭＡシステムを含む。これらの、および他の無線通信標準規格は、種々のデータレートのデータ通信を支援する。
【０００４】
上述の１つ以上の通信標準規格にしたがう無線通信装置のユーザは、種々の他の通信標準規格によってカバーされる区域へしばしば移動する。ユーザの装置は、個々の地理的領域に与えられている通信標準規格を支援することも、支援しないこともある。
さらに加えて、ユーザがもつ無線通信装置は多数あり、例えば、携帯形移動電話、自動車用移動電話、もしくは音声またはデータ、あるいはこの両者のアクセスために（コンピュータに組込まれるか、またはＰＣカードを接続される）移動電話を設置したノートブックコンピュータがある。
【０００５】
セルラネットワークは、広域ネットワークの一例である。加えて、セルラネットワークは、大抵、公衆交換電話ネットワーク（Public Switched Telephone Network, PSTN）、およびインターネットまたは企業内イントラネットのような他の広域ネットワークに接続する。
【０００６】
ユーザは、請求書発行、記録保持、認証などのための共通の識別を維持しつつ、恐らくは多数の装置を使用して、多数の広域ネットワークにアクセスすることを望む。取り外し可能識別カードにより、ユーザは、種々の装置を用いて、装置の識別情報に対応付けられた既存のサービス契約のもとで動作する一方で、広域ネットワークにアクセスすることができる。この処理は、エミュレーションと呼ばれる。例えば、ユーザは、装置Ａについての所与のサービス契約をもっている。ユーザは、装置Ａからは直接に利用できないが、装置Ｂからは直接に利用できるネットワークへアクセスすることを望んでいる。ユーザは、装置Ａから装置Ｂへ識別情報を供給する。その後で、装置Ｂは、装置Ａからの識別情報を使用して、ネットワークへのアクセスを進める。この場合に、装置Ａは、“エミュレートされる装置”であり、装置Ｂは、“エミュレートする装置”である。一方の装置から他方の装置へ情報を供給するための方法は、TIA/EIA/IS-820の“Removable User Identity Module (R-UIM) for TIA/EIA Spread Spectrum Standards”に定められているＲ−ＵＩＭカードと、GSM 11.11の“Specification of the Subscriber Identity Module”に定められているＳＩＭカードとを含む。ユーザは、このようなエミュレーションを行うために、異なる装置間でカードを交換しなければならない。
【０００７】
ブルートゥース仕様のようなローカル無線通信標準規格では、多数の装置が互いに近接しているときに、ピア-ツゥ-ピア構成（一般に、装置の１つは、サーバを示し、１つ以上の近接する装置は、クライアントとして働く）で通信することができる。ブルートゥースは、BLUETOOTH SIG, Inc.（主所在地は、c/o Sonnenschein Nath & Rosenthal, 1301 K St. NW, Suite 600, East Tower, Washington D.C. 20009）が所有する商標である。無線ローカルリンク方法の一例は、ブルートゥース仕様によって記載されるが、他の無線形式および有線形式を使用して、２つの無線通信装置を一緒にリンクしてもよい。
【０００８】
第１の無線通信装置は、広域ネットワーク上でローカルリンクを使用してエミュレートされる。ブルートゥース仕様によって特定される無線ローカルリンクが展開されるときは、物理的接続、または取り外し可能識別モジュールの交換は不要である。このようなエミュレーションの技術は、現在審査中の米国特許出願第10/123,621号（“EMULATING A WIRELESS COMMUNICATION DEVICE USING A LOCAL LINK”,Attorney Docket No. 020137）に開示されている。この米国特許出願第10/123,621号は、本発明と同時に出願され、本発明の譲受け人に譲渡され、ここで参考として特別に取り上げている。
【発明の開示】
【発明が解決しようとする課題】
【０００９】
無線通信セッション中に、無線通信装置（例えば、移動局）内に記憶されている種々のパラメータは、空中で更新される。例えば、空中更新は、TIA/EIA/IS-683-Aの“Over-the-Air Service Provisioning of Mobile Station in Spread Spectrum Systems”に記載されている。トランスペアレントなエミュレーションでは、エミュレーション中に、エミュレートされる装置を更新情報に同期させる。第１の装置は、第２の装置によってエミュレートされた後で、更新情報を使用して、広域ネットワークまたは通信システムに直接にアクセスすることができる。したがって、エミュレートされる装置をローカルリンクによって同期させる技術が必要である。
【課題を解決するための手段】
【００１０】
ここに開示されている実施形態は、エミュレートされる無線通信装置をローカルリンクによって同期させる必要に対処している。１つの態様において、エミュレートする装置は、エミューレートされる装置に宛てられた情報の受信信号を監視する。情報は、エミュレートされる装置へローカルリンクによって送られる。別の態様では、エミュレートされる装置は、ローカルリンクによって、記憶されている情報を受信情報で更新する。さらに別の態様では、既にエミュレートされた装置が、同期情報を使用して、広域ネットワークに直接にアクセスする。種々の他の態様も提示される。これらの態様がもつ特長は、エミュレートされる装置が広域ネットワークとの同期を維持し、エミュレーション後に、更新情報およびパラメータを使用して、アクセスを試みることを含む。
【００１１】
本発明は、別途さらに詳しく記載される本発明の種々の態様、実施形態、および特徴を実行する方法およびシステム要素を提供する。
本発明の特徴、性質、および長所は、別途記載される詳細な記述から、図面と共に参照するとき、同じ参照符号により全体的に対応して同定され、より明らかになるであろう。
【発明を実施するための最良の形態】
【００１２】
図１は、１つ以上の無線標準規格または設計、あるいはこの両者（例えば、W-CDMA標準規格、IS-95標準規格、cdma2000標準規格、IS-856標準規格、GSM、AMPS）を支援するように設計された無線通信システム100の図である。無線通信システム100は、本発明の技術的範囲内で展開される広域ネットワークの唯一の例である。
【００１３】
簡潔化のために、システム100内では、１つの基地局104が２つの移動局106と通信していることが示されている。一般に、セルラシステムは、多数の基地局104を含む。また、一般に、多数のセルラシステムは、音声呼では、相互に、および公衆交換ネットワーク（ＰＳＴＮ）と、インターネットとのデータ通信および接続では、１つ以上のパケットデータサービスノード（Packet Data Service Node, PDSN）と対話する。
【００１４】
基地局およびその受信可能領域を、まとめて“セル”と呼ぶことが多い。IS-95システムにおいて、セルは、１つ以上のセクターを含む。W-CDMAの仕様では、基地局の各セクターおよびセクターの受信可能領域をセルと呼ぶ。ここで使用されているように、基地局という用語は、アクセスポイントまたはノードＢという用語と同義で使用される。移動局という用語は、ユーザ装置（User Equipment, UE）、加入者装置、加入者局、アクセス端末、遠隔端末、またはこの技術において使用されている他の対応する用語と同義で使用される。移動局という用語は、規定の無線応用を含む。
【００１５】
実行されるシステムに依存して、各移動局106は、順方向リンク上では、所与の瞬間に１つ（または、恐らくはそれ以上の）基地局104と通信し、逆方向リンク上では、移動局がソフトハンドオフされるかどうかに依存して、１つ以上の基地局と通信する。順方向リンク（すなわち、ダウンリンク）は、基地局から移動局への伝送を指し、逆方向リンク（すなわち、アップリンク）は、移動局から基地局への伝送を指す。
【００１６】
分かり易くするために、本発明を記載するのに使用される例では、基地局を信号の発信側とし、移動局を、これらの信号、すなわち、順方向リンク上の信号の受信側および獲得側と仮定する。当業者には、移動局並びに基地局が、ここに記載されているようにデータを伝送するために設置され、本発明の態様は、これらの状況に同様に適用することが分かるであろう。“例示的”という用語は、“例、実例、または例示としての役割を果たす”ことを意味するためにのみ使用されている。ここに“例示的”と記載されている実施形態は、他の実施形態よりも好ましいまたは優れていると必ずしも解釈される訳ではない。
【００１７】
基地局104内では、１つの基地局制御装置（Base Station Controller, BSC）110が、１つ以上の基地局トランシーバサブシステム（Base Station Transceiver Subsystem, BTS）120と通信する。１つの移動局106は、1つ以上のＢＴＳ120との無線接続によって、１つ以上のＢＳＣ110と通信する。この例では、ＢＳＣ110は、ＢＴＳ120Aおよび120Bと接続される。移動局106Bは、ＢＴＳ120Aとの無線接続によって、ＢＳＣ110と通信している。移動局106Cは、ＢＴＳ120Bを経由してＢＳＣ110と通信する。
【００１８】
移動局106Aは、有線リンクで、移動局106Bに接続される。装置に接続するための技術において知られている種々の有線基準が展開される。移動局106Aは、移動局106Bと接続し、かつ106BとＢＴＳ120Aとが無線接続することによって、基地局104と通信する。その代りに、移動局106Bは、移動局106Aと106Bとの有線リンク上で転送されるデータを使用して、移動局106Aをエミュレートする一方で、通信に使用される。これらの手続きは、別途詳しく記載する。
【００１９】
同様に、移動局106Dは、無線リンクによって移動局106Cと接続される。例示的な実施形態において、この無線リンクは、バージョン1.1のようなブルートゥース仕様を支援するリンクであるが、他の無線リンクが支援されることもある。移動局106Dは、移動局106Cと接続し、かつ106CとＢＴＳ120Bとが無線接続することによって、基地局104と通信する。その代りに、移動局106Cは、移動局106Cと106Dとの無線リンクによって転送されるデータを使用して、移動局106Dをエミュレートする一方で、通信に使用される。これらの手続きも、同様に、別途さらに詳しく記載する。
【００２０】
２つの移動局106間の有線または無線リンクは、ローカルリンクの例であり、このローカルリンクは、一方の移動局が、他方の移動局を経由して、セルラシステムのような広域ネットワークにアクセスするか、または一方の移動局が、他方の移動局をエミュレートする一方で、広域ネットワークにアクセスするのに使用される。広域ネットワークにアクセスするのに使用される移動局106は、少なくとも、基地局104が使用する標準規格を支援し、種々の他の標準規格を支援することもある。図１の例では、移動局106Bおよび106Cは、基地局104によって展開される通信標準規格を支援する。移動局106Aおよび106Dは、基地局104によって展開される通信標準規格を支援することも、支援しないこともある。
【００２１】
例えば、移動局106Cは、ユーザが所有する車両電話であってもよい。ユーザは、携帯形移動電話160Dも所有してよい。ユーザが、携帯形移動電話106Dを車両電話106Cに接続することを望むと、運転中に、ハンドフリー動作および希望のデータ能力に対する支援のような、車両電話のある特定の特徴を利用でき、しかも、携帯形移動電話106Dの電話番号およびサービス契約により、ユーザ以外がユーザと連絡を取り、サービス条件を決めることができる。例示的な実施形態において、移動局160Cと160Dとのローカルリンクは、ブルートゥース仕様、例えば、バージョン１．１を支援するリンクであり、したがって、２つの移動局に要求されるのは、単に互いに近接していることである。ユーザは、ワイヤーに接続する必要も、またはR-UIMカードのような構成要素を転送する必要もない。この例では、移動電話106Cおよび106Dの両者が、基地局104と通信することができるが、ユーザは、移動局106Cを用いて、広域ネットワーク、すなわちセルラシステム100と接続しなければならない。
【００２２】
別の例として、移動局106Dは、基地局104が展開する通信標準規格を支援しない。例えば、106Dのユーザが、互換性のないセルラネットワーク領域へ移動する。このユーザは、セルラネットワーク100上で動作する移動電話106Cを賃借する。その後、ユーザは、賃借した電話106Cを用いてシステム100にアクセスする一方で、依然として、移動局106Dに割り当てられた電話番号でアクセス可能であり、かつユーザの現行のサービス契約のもとで動作する。以前のように、２つの移動局に要求されるのは、ある特定の距離内に入って、ブルートゥース仕様を支援するリンクまたは他の無線リンクを接続することだけである。
【００２３】
種々の基地局104と移動局106との無線接続は、認証（Authentication）、許可(Authorization)、および課金(Accounting)サーバ（ＡＡＡサーバ）130を使用して設定される。ＡＡＡサーバ130は、移動局106の識別が、有効な加入者に対応することを確認することによって、移動局106を許可する。さらに加えて、許可された加入者に対応付けられた種々のパラメータ（例えば、サービス条件、支援される特徴、ローミング能力、等）をネットワークへ戻す。通常のセルラシステムにおいて、加入者は、ＡＡＡサーバ130内に記憶されている加入者情報に対応する共用の秘密、パスワード、または鍵に関する認証プロトコルを使用して認証される。この技術において、種々の認証プロトコルが知られているが、このような方式は、本発明の技術的範囲内で展開される。
【００２４】
ＡＡＡサーバ130は１つだけ示されているが、当業者には、ＡＡＡサーバ130が、ＡＡＡサーバまたはプロキシＡＡＡサーバ、あるいはこの両者のネットワークを表わすことが分かるであろう。１つのネットワーク内のＡＡＡサーバ130は、このＡＡＡサーバが知らない移動局の認証要求を受信する。このＡＡＡサーバは、移動局に対応する情報を含むＡＡＡサーバが見付かるまで、要求を用いて、１つ以上の追加のサーバにアクセスする。
【００２５】
当業者には、移動局の認証のために展開されたＡＡＡサーバが、単なる例であることが分かるであろう。いくつかのIS-2000パケットサービスでは、IS-856と同様に、ＡＡＡサーバを使用する。IS-95およびIS-2000システムのような他のシステムは、認証、許可、およびローミング情報／サービスプロファイルダウンロードを支援するために、ホームロケーションレジスタ／認証局（Home Location Register/Authentication Center, HLC/AC）を使用する。ＡＡＡサーバという用語は、ここで使用されているように、ＨＬＣ／ＡＣ、並びに認証、許可、サービスプロファイル、および同様のサービスを供給するための他の装置と同義で使用される。
【００２６】
図２は、移動局106の一部を示している。信号は、アンテナ210で受信され、受信機250へ送られる。受信機250は、上述のセルラ標準規格のような、１つ以上の無線システム標準規格にしたがって処理を行う。受信機250は、無線周波数（Radio Frequency, RF）対ベースバンド変換、増幅、アナログ対ディジタル変換、フィルタリング、復調、デインターリービング、復号、等のような種々の処理を行う。種々の受信技術は、この技術において知られている。受信データは、プロセッサ240へ伝送され、音声またはデータ通信に使用される。音声通信またはデータ応用を支援するための追加の構成要素は示されていない。
【００２７】
受信データは、メッセージ復号器260へも送られる。メッセージ復号器260は、セルラネットワーク（または、他の広域ネットワーク）上での呼の設定、維持、および切断に使用される種々のメッセージを復号する。種々の呼設定手続きおよび関係するメッセージは、この技術において知られている。例えば、基地局104からのページングメッセージ、または、移動局106からのアクセス要求メッセージに応答するメッセージを含む。基地局104およびＡＡＡサーバ130の両者に関係する認証手続きでは、移動局106へ送るためのメッセージを生成し、その後で、メッセージ復号器260において復号する。種々のメッセージは、プロセッサ240へ送られる。当業者には、メッセージ復号器260または受信機250、あるいはこの両者において実行される手続きの一部または全てを、プロセッサ240において行なってもよいことが分かるであろう。
【００２８】
プロセッサ240は、メッセージ生成器230に、セルラネットワーク（または、他の広域ネットワーク）上で呼を設定、維持、および切断するのに使用される種々のメッセージを生成するように命令する。種々の呼設定手続きおよび関係するメッセージは、この技術において知られている。例えば、基地局104へのアクセス要求、または基地局104からのページングメッセージに応答するメッセージを含む。基地局104およびＡＡＡサーバ130の両者に関係する認証手続きには、基地局104へ送るための応答メッセージが必要である。さらに加えて、移動局は、基地局に登録するためのメッセージを送り、呼を受けるか、または呼が開始されるまで、アイドル状態を維持する。
【００２９】
メッセージは、送信機220へ送られ、移動局106が支援する１つ以上の通信標準規格にしたがってフォーマットされる。送信機220における手続きは、ボコーディング、符号化、インターリービング、変調、フィルタリング、増幅、ディジタル対アナログ変換、変調、等を含む。さらに加えて、音声通信またはデータアプリケーションにおいて使用するためのデータは、プロセッサ240から送信機220へ送られる。送信機220において生成された信号は、アンテナ210へ送られ、送信される。当業者には、メッセージ生成器230または送信機220、あるいはこの両者において行われる手続きの一部または全てを、プロセッサ240において行ってもよいことが分かるであろう。
【００３０】
いくつかの移動局106は、ローカル無線リンクによってデータを送受信するためのローカル無線受信機／送信機280を含む。例示的な実施形態において、ローカル無線受信機／送信機280は、ブルートゥース仕様にしたがうフォーマットされたデータを送受信する。図２に示されているように、ローカル無線受信機／送信機280は、アンテナ210を共用する。他の実施形態では、ローカル無線受信機／送信機280によって使用するための第２のアンテナを展開する。２つの移動局106は、各々がローカル無線受信機／送信機280を展開しており、図1における移動局106Cと106Dとの間に上述のローカル無線リンクを設定する。上述の送信機220、受信機250、メッセージ生成器230、およびメッセージ復号器260によって支援される通信標準規格は、２つの移動局106間で同じであるか、またはオーバーラップする必要はないことに注意すべきである。上述のいくつかの状況において、第１の移動局106は、ローカル無線受信機／送信機280で処理される無線リンクを使用して、第２の移動局106を経由して、セルラまたは他の広域ネットワークにアクセスする。ここでは、第１の移動局106によって支援される標準規格を使用しても、ネットワークにアクセスできない。ローカル無線受信機／送信機280は、ローカル無線リンクを処理するためのプロセッサ240と接続する。
【００３１】
ローカル無線受信機／送信機280に加えて、またはその代りに、送信機106は、別の移動局106のような別の無線通信装置との有線接続のためのリンクインターフェイス290を含んでもよい。有線接続は、ローカル無線通信リンクに関して記載したのと同様のやり方で使用される。リンクインターフェイス290は、ローカル有線リンクを処理するためのプロセッサ240と接続する。
【００３２】
プロセッサ240は、汎用マイクロプロセッサ、ディジタル信号プロセッサ（Digital Signal Processor, DSP）、または特定用途のプロセッサであってもよい。プロセッサ240は、メッセージ生成器230、送信機220、メッセージ復号器260、受信機250、ローカル無線受信機／送信機280、またはリンクインターフェイス290の機能の一部または全てを行ってもよく、特定用途のハードウエアに接続され、これらのタスク（詳細は示されていない）を補助してもよい。データまたは音声アプリケーションは、外付けのラップトップコンピュータのように、移動局106の外にあるか、移動局106内の追加のプロセッサ（図示されていない）上で実行されるか、またはプロセッサ240自体上で実行されてもよい。プロセッサ240は、別途詳しく記載するように、種々の手続きおよび方法を行うための命令を記憶するのに、組み込み形メモリをもつか、またはメモリ（示されていない）に接続される。
【００３３】
移動局106は、識別および認証情報（例えば、パスワード、共用秘密情報、等）を記憶するための識別モジュール270を含む。識別情報にアクセスし、登録、認証、呼設定、等のために生成されたか、または受信された種々のメッセージ内に取り込む。識別モジュール270は、プロセッサ240の一部であってもよく、または識別モジュール270に接続された不揮発性メモリ（図示されていない）に組込んでもよい。いくつかの場合において、図１に示されている106Cおよび106D、または106Aおよび106Bのような、両移動局106は、R-UIMインターフェイスのような、取り外し可能識別モジュールも支援する。ローカルリンクを使用して、一方の移動局から他方の移動局へR-UIMカードを物理的に移動する必要を軽減してもよい。ローカルリンクの使用については、別途詳しく記載する。移動局106の何れかに記憶されている識別情報は、取り外し可能モジュール内になくてもよいことに注意すべきである。
【００３４】
通信セッション中は、種々のパラメータが更新される。これらのパラメータのいくつかは、識別モジュール270内に記憶され、移動局へ宛てられたメッセージに応答して上書きされる。例えば、サービスプログラミングコードを使用して、不揮発性メモリの内容をロックまたはアンロックしてもよい。不揮発性メモリの一部は、識別モジュール270内にあっても、埋め込まれても、プロセッサ240と接続されてもよい。不揮発性メモリがロックされると、この中に記憶されている情報は変更されない。アンロックされると、不揮発性メモリは更新される。別の例は、認証データを含む。例えば、共用秘密データを変更し、これを認証に使用して、暗号化鍵を生成してもよい。移動局106とのエミュレーションではない通信中に、これらのパラメータおよび同様の情報を、通信セッションの途中で直接に更新してもよい。ここに記載されているように、第１の移動局106が第２の移動局によってエミュレートされると、これらのパラメータをローカルリンクによって同期させ、その後で、第１の移動局は、最新のパラメータの組を使用して、広域ネットワークへ直接にアクセスする。
【００３５】
図１に示されているような種々の移動局106は、同一の構成要素の組で構成される必要はない。例えば、いくつかの移動局を、ローカル無線リンク専用、ローカル有線リンク専用、またはこの両者用に設置してもよい。既に記載したように、セルラネットワークのような、広域ネットワーク100上で通信するために支援する標準規格の組は、各移動局106に固有である。１つの有益な構成では、第１の移動局106が、有線または無線ローカルリンクで第２の移動局106と接続し、第１の移動局106が支援していない通信標準規格を使用して、広域ネットワークにアクセスする。
【００３６】
広域ネットワーク上で、ローカルリンクを使用して、第２の無線通信装置を用いて、第１の無線通信装置をエミュレートするための技術の例は、図３ないし５において別途例示される。ここに開示されている同期手続きは、これらの例示的な実施形態、および第２の装置がローカルリンクによって第１の装置をエミュレートする他の実施形態に適用される。
【００３７】
図３は、第２の無線通信装置を用いて、第１の無線通信装置をエミュレートするための方法の実施形態のフローチャートを示している。無線通信装置106の例は、図１に示されており、かつ図２にさらに詳しく示されている。処理は、ステップ310で始まり、装置Ａと呼ばれる第１の装置は、上述のローカルリンクを使用して、装置Ｂと呼ばれる第２の装置に接続される。ここで使用されているように、装置Ａは、“エミュレートされる装置”であり、装置Ｂは、“エミュレートする装置”である。例示的な実施形態では、ブルートゥース仕様を支援する無線ローカルリンクを展開する。他の実施形態では、有線または無線の種々のローカルリンクを展開する。無線ローカルリンクを展開するときは、装置Ａおよび装置Ｂの両者が通信するのに、上述のローカル無線受信機／送信機280を使用する。有線ローカルリンクを展開するときは、装置Ａおよび装置Ｂの両者が通信するのに、上述のリンクインターフェイス290を使用する。
【００３８】
この例では、エミュレーションを行うとき、装置Ｂを使用して、広域ネットワークにアクセスする。例示的な実施形態では、広域ネットワークは、上述のセルラシステムのような無線通信システムを含む。ステップ320へ進む。
ステップ320では、装置Ａ、すなわちエミュレートされる装置の識別情報を、ローカルリンクによって装置Ａと装置Ｂとの間で交換する。装置Ａにおいて識別情報を記憶するために識別モジュール270を展開し、エミュレーション中に装置Ｂへの伝送のためにアクセスするか、またはエミュレーションが望ましくないときは、装置Ａが呼設定をするのに使用する（この代案については、別途詳しく記載する）。例示的な実施形態において、識別モジュール270はR-UIMカードである。ステップ330へ進む。
【００３９】
ステップ330では、装置Ｂは、ステップ320においてローカルリンクによって装置Ａから転送された識別情報を使用して、広域ネットワークにアクセスする。種々の通信標準規格にしたがう呼設定のための種々の手続き、さらに加えて、登録、認証、およびセルラシステムまたは広域ネットワーク、あるいはこの両者にアクセスするのに使用される同様の手続きは、この技術において知られている。これらの手続きを行うためのメッセージは、装置Ｂで展開されたメッセージ生成器230およびメッセージ復号器260の各々において生成され、復号される。（装置Ａを同様に設置してもよいが、装置Ａがエミュレートされているときは、装置Ｂの構成要素を経由して、広域ネットワークへアクセスする）。ステップ320および330は、同時に実行してもよいことに注意すべきである。認証および呼設定中に、識別情報に何度もアクセスしてもよいことにも注意すべきである。アクセスが要求されたときに、装置Ｂに記憶されている要求された全情報を用いて、識別情報交換ステップを最初に1回行なってもよい。その代りに、ステップ310において設定されたローカルリンクを使用して、識別情報に１回以上アクセスして検索してもよい。広域ネットワークにアクセスし、通信リンクの設定に成功すると、装置Ｂと、装置Ｂが広域ネットワークと通信するための能力とを使用する一方で、装置Ａの識別および対応付けられたサービス契約の特徴を使用して、装置Ｂと広域ネットワークとの音声およびデータ通信を進めてもよい。ステップ330における装置Ａのエミュレーションは、音声およびデータアプリケーションが終了したときに終わるか、もしくは、多数の呼が開始または受信される一方で、実行され続け、ユーザの要求で終了してもよい。装置Ｂは、アイドルモードの装置Ａをエミュレートし、ユーザが音声またはデータ呼を開始するのを待つか、または装置Ａに宛てられた呼を受信するのを待つ。
【００４０】
装置ＡおよびＢの両者をもつユーザは、何れかの装置をアクセス端末として使用すると決める。例えば、セルラＰＣカードを設置したラップトップコンピュータ、すなわち装置Ａは、自動車内の移動局、すなわち装置Ｂと無線ローカルリンクを設定する。自動車の移動局が、地理的領域内のセルラシステムを支援し、一方でノートブックコンピュータ内のＰＣカードが、他のセルラシステムのみを支援するとき、このような接続が行われる。または、自動車の移動局が、より大きい電源の恩恵を与えるか、または、より高いデータレートを支援するとき、このような接続が行われる。これらのような状況では、装置Ａは、アクセス端末として働いている。例えば、データアプリケーションは、ノートブックコンピュータ、すなわち装置Ａ上で実行され、装置Ａは、装置Ｂ、すなわち自動車内の移動局に、ネットワークにアクセスし、装置Ａをエミュレートし、通信データをローカルリンクを横切って装置Ａへ転送するように命令する。または、携帯形移動電話、すなわち装置Ａは、プログラムされた接続リストのような、ユーザが使いたいある特定の特徴をもっているので、ユーザは、これを使用して話すのを好む。賃借した移動電話、すなわち装置Ｂは、地理的領域内に与えられたセルラシステムを支援するので、ネットワークにアクセスできる。したがって、装置Ａはアクセス端末であり、装置Ｂは、装置Ａと広域ネットワークとの接続におけるコンジットとして働く。広域ネットワーク上で装置Ｂを用いて装置Ａをエミュレートする一方で、装置Ａと通信する方法の実施形態を、これより図４を参照して記載する。
【００４１】
その代りに、装置Ｂ、すなわちエミュレートしている装置が、アクセス端末になる状況もある。例えば、ユーザが、携帯形移動電話、すなわち装置Ａを、移動局、すなわち装置Ｂを設置した自動車内へ持ち込むとき、ユーザは、自動者の移動電話を通信に使用することを望む。装置Ｂは、ハンドフリーシステムを備えおり、したがって運転中は装置Ｂで会話するのが好ましい。または、上述の２つの携帯形移動電話の例とは対照的に、ユーザは、装置Ａではなく、装置Ｂを使用して話すことを選択してもよい。これより、装置Ａをエミュレートする一方で、広域ネットワーク上で装置Ｂと通信する方法の実施形態を、図５に関係して記載する。
【００４２】
図４は、広域ネットワーク上で装置Ｂを用いて装置Ａをエミュレートする一方で、装置Ａと通信するための方法の実施形態を示している。既に記載したように、この方法は、装置Ａがアクセス端末として働くときに応用可能である。上述の例を含めて、何らかの理由で、装置Ａと通信すると判断されると、処理はステップ410から始まる。決定ブロック420へ進む。
【００４３】
決定ブロック420において、エミュレートする装置、すなわち装置Ｂが、使用されるときは、ステップ430へ進む。そうでなければ、ステップ470へ進む。ステップ470では、装置Ａが、広域ネットワークと呼設定を行い、処理はステップ480へ進み、ここでは、装置Ａと広域辺ネットワークとの間で、データまたは音声通信が流れる。
【００４４】
ステップ430では、既に記載したように、装置Ａは、ローカルリンクによって装置Ｂへ信号を送り、広域ネットワークにアクセスする。ステップ440へ進む。ステップ440では、装置Ｂは、地理的領域に与えられた通信標準規格を支援している基地局にアクセスする。アクセスは、音声またはデータ接続のため、または単に、広域ネットワークに登録するためである。（その代りに、装置Ａが呼を開始するか、または装置Ｂが、装置Ａに宛てられた呼が受信するまで、リンクはアイドル状態のままである。）種々の通信標準規格のための種々の呼設定および登録手続きは、この技術において知られており、その例は既に記載した。ステップ450へ進む。ステップ450では、装置Ｂは、認証情報、またはエミュレーションに必要な他の情報を、装置Ａの識別モジュールから、ローカルリンクによって受信する。ステップ440および450は、並行して行ってもよく、１ステップで、または呼設定または登録中のセグメントにおいて、装置Ａからの情報にアクセスしてもよい。ステップ460へ進む。ステップ460では、データまたは音声通信は、ローカルリンクによって装置Ａと装置Ｂとの間で流れる。装置Ｂがアクセス端末であるときは、識別情報または認証情報、あるいはこの両者のみが、ローカルリンクによって転送され、音声またはデータ通信は、装置Ｂにおいて終了する。この場合は、同様に、ローカルリンクを使用して、装置Ａと装置Ｂとの間でトラヒックデータを転送する。ステップ480へ進み、ここでは、データおよび音声通信は、装置Ｂと広域ネットワークとの間のリンクと、装置Ａと装置Ｂとの間のローカルリンクとを使用して、装置Ａと広域ネットワークとの間を流れる。処理は、音声またはデータ呼が終わるときに終了するか、または多数の受信した、または開始された呼またはデータセッションを反復する。
【００４５】
図５は、装置Ａをエミュレートする一方で、広域ネットワーク上で装置Ｂと通信するための方法の実施形態を示している。この方法は、既に記載したように、装置Ｂがアクセス端末として働くときに応用可能である。上述の例を含めて、何らかの理由で、装置Ｂと通信すると判断されると、処理はステップ510から始まる。処理は、決定ブロック520へ進む。
【００４６】
決定ブロック520において、装置Ｂが、装置Ａをエミュレートすると、ステップ530へ進む。ステップ530では、ローカルリンクによって装置Ａから識別情報を受信する。これは、上述の例を含む種々のやり方で達成される。決定ブロック520では、装置Ｂが装置Ａをエミュレートしないとき、ステップ540へ進む。ステップ540では、装置Ｂの識別情報を使用する。これは、図２に関連して既に記載したように、装置Ｂに配置された識別モジュール270内に記憶される。ステップ530または540から、ステップ550へ進む。
【００４７】
ステップ550では、装置Ｂは、装置Ｂ識別情報を使用して、または装置Ａ識別情報を使用して装置Ａをエミュレートして、呼設定または登録を行う。ステップ530またはステップ540の何れかは、ステップ550と並行して行ってもよい。ステップ530において、識別情報は、一度に、またはステップ550における呼設定または登録中のセグメントにおいて、交換される。ステップ560へ進む。ステップ560において、装置Ｂは広域ネットワークにアクセスする。既に記載したように、これは、セルラネットワークのみにアクセスするか、またはステップ550における呼設定を、音声呼ではＰＳＴＮと、あるいはＰＤＳＮを経由してインターネットまたは企業内イントラネットのような別の広域ネットワークと接続する。ステップ560および550は、音声またはデータアプリケーションに依存して、１ステップに合成してもよい。ステップ570へ進む。ステップ570では、データまたは音声通信は、装置Ｂと広域ネットワークとの間を流れる。処理は、音声またはデータ呼が終わるときに終了するか、あるいは多数の受信した、または開始された呼またはデータセッションを反復してもよい。
【００４８】
図６は、エミュレートされる装置をローカルリンクによって同期させるための方法の実施形態を示す状態図である。開始状態610から始まる。２つの装置、装置Ａおよび装置Ｂがローカルリンクで接続されると、装置接続状態620へ遷移する。状態620から、エミュレーションが要求されると、装置Ｂは、上述の方法を使用して、広域ネットワークのエミュレートする装置Ａにアクセスする。エミュレーションが要求されると、装置Ｂは状態630へ遷移し、装置Ｂは、装置Ａに宛てられた情報について、広域ネットワークを監視する。情報を受信すると、状態640へ遷移して、情報を処理する。装置Ａに宛てられた情報は、到来呼、またはネットワークアクセス要求への応答のような通信に使用される。装置Ｂは、同期化のために装置Ａにおいて更新する必要のない情報を、必要に応じて使用する。この場合は、状態630へ再び遷移して、装置Ａの情報を監視し続ける。既に例示したように、状態630において受信した装置Ａの情報を同期させる必要があるときは、状態640から状態650へ遷移し、装置Ａを同期させる。状態650において、装置Ｂは、ローカルリンクによって装置Ａへ信号を送り、識別モジュール270のような不揮発性メモリに記憶されている情報の更新を要求する。その後で、情報は、同期化のために、ローカルリンクを経由して、装置Ａへ伝送される。伝送および同期化が完了すると、状態630へ再び遷移して、装置Ａ情報を監視し続ける。任意のときに、エミュレーションを終了して、状態620、すなわち装置接続状態へ戻ってよい。新しいエミュレーションセッションが開始され、状態630へ遷移するまで、装置は接続されたままである。または、ローカルリンクを終了し、装置の接続を解除し、順序にしたがって、状態610へ戻ってもよい。
【００４９】
装置Ａおよび装置Ｂの接続が解除されている状態610、またはローカルリンクが設定されている状態620から、装置Ａを使用して、広域ネットワークへ直接にアクセスするときは、状態660へ遷移する。アクセスでは、識別モジュール270のような不揮発性メモリ内に記憶されている情報を使用して、広域ネットワークに接続する。したがって、状態650では、このような情報の同期化が行われているので、前のエミュレーション中に更新された情報が使用される。広域通信が終了すると、それぞれ、装置Ａおよび装置Ｂが接続解除されているか、または接続されているかに依存して、状態610または620へ遷移するのが適切である。
【００５０】
図７は、エミュレートされる装置をローカルリンクによって同期させるための方法の実施形態のフローチャートを示している。処理は決定ブロック705から始まり、ここでは、第１の装置、すなわち装置Ａを、第２の装置、すなわち装置Ｂを使用して、エミュレートすべきかどうかを判断する。エミュレートしないときは、決定ブロック755へ進み、広域ネットワークへアクセスするかどうかを判断する。決定ブロック755は、別途詳しく記載する。
【００５１】
決定ブロッ705において、エミュレーションが希望されるときは、ステップ710へ進む。ステップ710では、既に記載したように、装置Ａおよび装置Ｂをローカルリンクを使用して接続する。ステップ715へ進み、ここでは、装置Ｂは、広域ネットワークのエミュレートする装置Ａにアクセスする。これについての種々の技術は、既に記載した。ステップ720へ進む。音声またはデータ通信を行うか、あるいはアイドル状態を維持して、開始または受信された呼を待つといった、他のエミュレーションタスクに加えて、ステップ720において、装置Ｂは、装置Ａに宛てられた伝送について広域ネットワークを監視する。決定ブロック725へ進む。決定ブロック725において、装置Ｂが装置Ａの情報を受信すると、決定ブロック730へ進む。そうでなければ、決定ブロック750へ進む。決定ブロック750では、エミュレーションを継続するときは、ステップ720へループバックし、装置Ａへの伝送を監視し続ける。監視が望まれる間は、処理は、ステップ720、決定ブロック725、および750によって形成されるループ内に留まる。
【００５２】
決定ブロック725において、装置Ａの情報が受信されると、決定ブロック730へ進み、装置Ａにおいて、受信情報を同期させるべきかどうかを判断する。装置Ａに宛てられ、装置Ｂにおいて受信された伝送は、同期させる必要はない。例えば、既に記載したように、装置Ｂがアクセス端末であるときは、音声またはデータ伝送を行うのに使用されるメッセージまたはトラヒックは、装置Ｂにおいて処理するだけでよい。装置Ａがアクセス端末であるとき、ローカルリンクによってトラヒックを転送する上述の手続きは、装置Ａの同期が不要のときは、十分である。同期させる必要がないときは、処理は、ステップ720へループバックして、既に記載したように、監視を続ける。他の実施形態では、決定ブロック730から決定ブロック750へ進み、エミュレーションを継続するかどうかを判断してから、ステップ720へ進んでもよい。実施形態において、処理は、要求される限り、装置Ａの情報を監視し続けるためのループを形成してよい。
【００５３】
決定ブロック730において、同期させる必要のある装置Ａの情報を受信すると、ステップ735へ進む。ステップ735では、同期情報をローカルリンクによって装置Ａに宛てる。当業者には、展開されているローカルリンクに依存して、装置Ａと装置Ｂとの間で信号を送って、転送するための種々の技術が分かるであろう。ステップ740へ進む。ステップ740では、同期情報を装置Ａに記憶する。装置Ａは、同期情報を記憶する前に、さらに処理する。結果の情報は、識別モジュール270のような不揮発性メモリか、または装置Ａに配置された他のメモリ内に記憶される。決定ブロック750に進む。既に記載したように、決定ブロック750において、エミュレーションを継続するときは、処理は720へループバックする。装置Ａは、適切であれば、同期を維持する。決定ブロック750において、エミュレーションが継続されないときは、決定ブロック755へ進む。
【００５４】
決定ブロック755では、装置Ａは、希望すれば、広域ネットワークへ直接に接続してもよい。エミュレーションが望まれないときは、決定ブロック705から、このブロックへ入ってもよいことに注意すべきである。装置Ａに直接に接続することが望ましくないときは、処理は終了する。処理は、必要に応じて反復される。この点で、広域ネットワークと交換される種々のパラメータまたは設定を更新すると、装置Ａの識別情報を使用して、装置Ｂを通信に使用しても、装置Ａは、現在のまま、すなわち同期したままであることに注意すべきである。決定ブロック755において、装置Ａを使用する直接接続が望まれるときは、ステップ760へ進み、装置Ａを用いて、広域ネットワークへアクセスする。以前にエミュレーションが行われても、行われなくても、同期情報の恩恵で、アクセスが行われる。処理は、装置Ａが通信を終えた後で終了し、既に記載したように、必要に応じて、将来の直接のアクセスまたはエミュレートされるアクセスにおいて反復される。
【００５５】
上述の技術は、多数のクライアントまたは多数のサーバを使用して、展開してもよい。例えば、移動局106は、ブルートゥース仕様によって特定されるように、２つ以上のローカルリンク上のクライアントであってもよい。上述の方法を展開して、装置Ａとして働くクライアント移動局が、装置Ｂとして働く多数のサーバを用いて、１つ以上の広域ネットワークにアクセスすることができる。なお、各サーバは、時間の一部において、広域ネットワークと接続してもよい。同様に、各々が装置Ａとして働いている多数のクライアント移動局を、サーバ、すなわち装置Ｂに接続する。各クライアントは、サーバ、すなわち装置Ｂを経由して、広域ネットワークへ、本質的に時間を共用してアクセスする。クライアントはサーバと協働し、サーバは、１回ごとに、広域ネットワークのエミュレートする１つのクライアントにアクセスする。各エミュレートされるクライアントに関するクライアント情報は、サーバが特定のクライアントをエミュレートしている時間期間中に適宜、ローカルリンクによって伝送される。当業者は、ここに開示されている技術を、これらのマルチクライアントまたはマルチサーバの応用に容易に応用するであろう。
【００５６】
当業者には、情報および信号が、種々の異なる技術および技能を使用して表現されることが分かるであろう。例えば、上述で全体的に参照したデータ、命令、コマンド、情報、信号、ビット、シンボル、およびチップは、電圧、電流、電磁波、磁界または磁粒、光の界または粒子、あるいはその組み合わせによって表現される。
【００５７】
当業者には、ここに開示されている実施形態に関係して記載された種々の例示的な論理ブロック、モジュール、回路、およびアルゴリズムのステップが、電子ハードウエア、コンピュータソフトウエア、またはこの両者の組合せとして実行されることも分かるであろう。ハードウエアとソフトウエアとのこの互換性を明らかに示すために、種々の例示的な構成要素、ブロック、モジュール、回路、およびステップを、上述で全体的に機能に関して記載した。このような機能が、ハードウエアとして実行されるか、またはソフトウエアとして実行されるかは、全体的なシステムに課された特定の応用および設計の制約に依存する。熟練した技能をもつ者は、各個々の応用ごとに種々のやり方で記載された機能を実行するが、このような実行の決定は、本発明の技術的範囲から逸脱すると解釈すべきではない。
【００５８】
ここに開示されている実施形態に関係して記載されている種々の例示的な論理ブロック、モジュール、および回路は、汎用プロセッサ、ディジタル信号プロセッサ（digital signal processor, DSP）、特定用途向け集積回路（application specific integrated circuit, ASIC）、フィールドプログラマブルゲートアレイ（field programmable gate array, FPGA）または他のプログラマブル論理装置、ディスクリートなゲートまたはトランジスタ論理、ディスクリートなハードウエア構成要素、あるいはここに記載されている機能を実行するように設計された組合せで構成または実行される。汎用プロセッサは、マイクロプロセッサであってもよいが、その代わりに、プロセッサは、従来のプロセッサ、制御装置、マイクロ制御装置、または状態機械であってもよい。プロセッサは、計算機の組合せ、例えば、１つのＤＳＰと１つのマイクロプロセッサとの組合せ、複数のマイクロプロセッサ、１つ以上のマイクロプロセッサと１つのＤＳＰのコアとの組み合わせ、または他のこのような構成としても実行される。
【００５９】
ここに開示されている実施形態に関係して記載された方法またはアルゴリズムのステップは、ハードウエアにおいて、プロセッサによって実行されるソフトウエアモジュールにおいて、または２つの組み合わせにおいて直接に具体化される。ソフトウエアモジュールは、ＲＡＭメモリ、フラッシュメモリ、ＲＯＭメモリ、ＥＰＲＯＭメモリ、ＥＥＰＲＯＭメモリ、レジスタ、ハードディスク、取り外し可能ディスク、ＣＤ−ＲＯＭ、またはこの技術において知られている記憶媒体の他の形態の中にあってもよい。例示的な記憶媒体は、プロセッサに接続され、プロセッサは、記憶媒体から情報を読み出し、かつ記憶媒体へ情報を書き込んでもよい。その代りに、記憶媒体は、プロセッサと一体構成であってもよい。プロセッサおよび記憶媒体は、ＡＳＩＣの中にあってもよい。ＡＳＩＣは、ユーザ端末の中にあってもよい。その代りに、プロセッサおよび記憶媒体は、ディスクリートな構成要素として、ユーザ端末の中にあってもよい。
【００６０】
開示された実施形態についてのこれまでの記述は、当業者が本発明を作成または使用できるようにするために与えられている。当業者には、これらの実施形態に対する種々の変更は容易に明らかであり、ここに定められている一般的な原理は、本発明の意図および技術的範囲から逸脱しないならば、他の実施形態に適用してもよい。したがって、本発明は、ここに示された実施形態に制限されることを意図されず、ここに開示されている原理および新規な特徴に一致する最も幅広い範囲にしたがうことを意図されている。
【図面の簡単な説明】
【００６１】
【図１】多数のユーザを支援することができる無線通信システムの全体的なブロック図。
【図２】エミュレーションのために設置された移動局の一部の図。
【図３】第１の無線通信装置を第２の装置を用いてエミュレートするための方法の実施形態のフローチャート。
【図４】広域ネットワーク上で第１の装置を第２の装置を用いてエミュレートする一方で、第１の装置と通信するための方法の実施形態のフローチャート。
【図５】第２の装置と通信広域ネットワーク上で、第１の装置をエミュレートする一方で、第２の装置と通信するための方法の実施形態のフローチャート。
【図６】エミュレートされる装置をローカルリンクによって同期させるための方法の実施形態を示す状態図。
【図７】エミュレートされる装置をローカルリンクによって同期させるための方法の実施形態のフローチャート。
【符号の説明】
【００６２】
100・・・無線通信システム、104・・・基地局、106・・・移動局。
【図１】
2005522966.tif 000003
【図２】
2005522966.tif 000004
【図３】
2005522966.tif 000005
【図４】
2005522966.tif 000006
【図５】
2005522966.tif 000007
【図６】
2005522966.tif 000008
【図７】
2005522966.tif 000009
【国際調査報告】
2005522966.tif 000010
2005522966.tif 000011